(57)【要約】【課題】オプションユニットの非装着時にはコネクタの接続面をコネクタカバーによって閉じて保護し、オプションユニットとの連結動作に連動してコネクタの接続面を開放してオプションユニットとの電気的な接続を可能とした画像形成装置を提供すること。【解決手段】オプションユニットを連結可能であって、オプションユニットとの電気的な接続を行うためのコネクタ２と、該コネクタ２の接続面を開閉するコネクタカバー３を備えた画像形成装置１において、前記オプションユニットとの連結動作に連動して前記コネクタカバー３を動作させて前記コネクタ２の接続面を開くカバー開閉機構を設ける。【選択図】図３
2010237666.tif 000002
【特許請求の範囲】
【請求項１】
オプションユニットを連結可能であって、オプションユニットとの電気的な接続を行うためのコネクタと、該コネクタの接続面を開閉するコネクタカバーを備えた画像形成装置において、
前記オプションユニットとの連結動作に連動して前記コネクタカバーを動作させて前記コネクタの接続面を開くカバー開閉機構を設けたことを特徴とする画像形成装置。
【請求項２】
前記オプションユニットに突設されたガイドピンが挿通するガイド孔を備え、前記カバー開閉機構は、オプションユニットとの連結時における前記ガイドピンの前記ガイド孔への挿通動作を前記コネクタカバーのスライド動作に変換して前記コネクタの接続面を開くことを特徴とする請求項１記載の画像形成装置。
【請求項３】
前記ガイド孔を囲むようにキャップを立設し、一端が回動可能に連結されたロッドを前記キャップに形成された長孔に通してその他端をワイヤーを介して前記コネクタカバーに連結するとともに、前記コネクタを閉じる方向に前記コネクタカバーを付勢する付勢手段を設けたことを特徴とする請求項２記載の画像形成装置。
【請求項４】
前記カバー開閉機構は、オプションユニットとの連結動作をカム機構によって前記コネクタカバーの開き動作に変換して前記コネクタの接続面を開くことを特徴とする請求項２記載の画像形成装置。
【請求項５】
前記カバー開閉機構は、オプションユニットとの連結動作をレバー機構によって前記コネクタカバーの開き動作に変換して前記コネクタの接続面を開くことを特徴とする請求項２記載の画像形成装置。
【請求項６】
前記オプションユニットは、ペーパーフィーダであることを特徴とする請求項１〜５の何れかに記載の画像形成装置。
【発明の詳細な説明】
【技術分野】
【０００１】
本発明は、ペーパーフィーダ（ＰＦ）等のオプションユニットを増設可能な複写機やプリンタ等の画像形成装置に関するものである。
【背景技術】
【０００２】
電子写真方式によって用紙に画像を形成する複写機やプリンタ等の画像形成装置においては、感光ドラム等の像担持体上に形成された静電潜像が現像装置において現像剤であるトナーを用いて現像されてトナー像として顕像化され、この像担持体上のトナー像は転写ローラ等の転写手段によって用紙上に転写される。そして、トナー像が転写された用紙は定着装置へと搬送され、該定着装置においてトナー像が加熱及び加圧されてこれが用紙上に定着され、トナー像が定着された用紙は機外へと排出されて一連の画像形成プロセスが終了する。
【０００３】
斯かる画像形成装置には、ユーザーのニーズに応じてペーパーフィーダ（ＰＦ）等のオプションユニットを増設することができるものがあり、オプションユニットがペーパーフィーダである場合、画像形成装置は、床面上に設置されたペーパーフィーダ上に重ねて連結され、これに設けられたコネクタによってペーパーフィーダとの電気的な接続が行われる。
【０００４】
ところで、画像形成装置の底面にコネクタを設ける場合、コネクタに溜った埃が結線後にトラッキング現象を引き起こす可能性がある。このような問題に対しては、コネクタの接続面を開閉するコネクタカバーを設け、コネクタを使用しない場合には、その接続面をコネクタカバーによって閉じることによって対処している。この場合、画像形成装置をペーパーフィーダ等に連結した後にコネクタカバーを開き、コネクタの接続面を開放して画像形成装置とペーパーフィーダ等との電気的な接続を行うようにしている。
【０００５】
画像形成装置とオプションユニットとの連結に関して、例えば特許文献１には、画像形成装置とオプションユニットとを位置決めして連結する動作に連動して画像形成装置又はオプションユニットの少なくとも一方に設けられたコネクタを接続位置に移動させることによって、該コネクタを他方に設けられたコネクタに接続する構成が提案されている。
【０００６】
又、特許文献２には、画像形成装置底面の前方部に位置決めピンを設け、その下方に増設されるオプションユニット（下段カセットホルダ）の上面には、前方部で画像形成装置側の前記位置決めピンを切欠側辺で案内し手前側の切欠底部で整合位置に受容係止させるＶ形の切欠を有する位置決めガイドを設ける構成が提案されている。
【先行技術文献】
【特許文献】
【０００７】
【特許文献１】特開平７−２９５３１９号公報
【特許文献２】実開平６−２３９４６号公報
【発明の概要】
【発明が解決しようとする課題】
【０００８】
しかしながら、コネクタをコネクタカバーによって開閉する構成を採用した場合であっても、画像形成装置をペーパーフィーダ等のオプションユニットに連結しない場合、つまり、画像形成装置に設けられたコネクタを使用しない場合にコネクタカバーを開いたまま放置することがあり、このように場合にはコネクタに埃が溜ってトラッキング現象が引き起こされる可能性がある。
【０００９】
又、画像形成装置をペーパーフィーダ等のオプションユニットに連結する際、オプションユニット側に設けられたガイドピンを画像形成装置側のコネクタに当ててしまい、コネクタハウジングにひび割れ等が発生して異常発熱等の不具合を引き起こし兼ねない。
【００１０】
特許文献１，２において提案された構成では、コネクタへの埃除け対策が講じられておらず、ガイドピンとコネクタとの接触の可能性も残る。
【００１１】
本発明は上記問題に鑑みてなされたもので、その目的とする処は、オプションユニットの非装着時にはコネクタの接続面をコネクタカバーによって閉じて保護し、オプションユニットとの連結動作に連動してコネクタの接続面を開放してオプションユニットとの電気的な接続を可能とした画像形成装置を提供することにある。
【課題を解決するための手段】
【００１２】
上記目的を達成するため、請求項１記載の発明は、オプションユニットを連結可能であって、オプションユニットとの電気的な接続を行うためのコネクタと、該コネクタの接続面を開閉するコネクタカバーを備えた画像形成装置において、前記オプションユニットとの連結動作に連動して前記コネクタカバーを動作させて前記コネクタの接続面を開くカバー開閉機構を設けたことを特徴とする。
【００１３】
請求項２記載の発明は、請求項１記載の発明において、画像形成装置は、前記オプションユニットに突設されたガイドピンが挿通するガイド孔を備え、前記カバー開閉機構は、オプションユニットとの連結時における前記ガイドピンの前記ガイド孔への挿通動作を前記コネクタカバーのスライド動作に変換して前記コネクタの接続面を開くことを特徴とする。
【００１４】
請求項３記載の発明は、請求項２記載の発明において、前記ガイド孔を囲むようにキャップを立設し、一端が回動可能に連結されたロッドを前記キャップに形成された長孔に通してその他端をワイヤーを介して前記コネクタカバーに連結するとともに、前記コネクタを閉じる方向に前記コネクタカバーを付勢する付勢手段を設けたことを特徴とする。
【００１５】
請求項４記載の発明は、請求項２記載の発明において、前記カバー開閉機構は、オプションユニットとの連結動作をカム機構によって前記コネクタカバーの開き動作に変換して前記コネクタの接続面を開くことを特徴とする。
【００１６】
請求項５記載の発明は、請求項２記載の発明において、前記カバー開閉機構は、オプションユニットとの連結動作をレバー機構によって前記コネクタカバーの開き動作に変換して前記コネクタの接続面を開くことを特徴とする。
【００１７】
請求項６記載の発明は、請求項１〜５の何れかに記載の発明において、前記オプションユニットは、ペーパーフィーダであることを特徴とする。
【発明の効果】
【００１８】
請求項１記載の発明によれば、オプションユニットと画像形成装置を連結していないで、画像形成装置に形成されたコネクタを使用していない状態では該コネクタの接続面はコネクタカバーによって閉じられているため、コネクタに埃が溜ってトラッキング現象が発生する等の不具合が発生することがない。そして、画像形成装置とオプションユニットとの連結動作に連動してカバー開閉機構がコネクタカバーを動作させてコネクタの接続面を開くよう構成したため、コネクタを用いて画像形成装置とオプションユニットとを電気的に容易に接続することができるとともに、オプションユニット側に設けられたガイドピンとコネクタとの接触が防がれ、コネクタの損傷とそれに伴う異常発熱等の発生が防がれる。
【００１９】
請求項２記載の発明によれば、オプションユニットとの連結時におけるガイドピンのガイド孔への直線的な挿通動作をコネクタカバーのスライド動作に変換してコネクタの接続面を開くことができ、ガイドピンとコネクタとの接触を確実に防ぐことができる。
【００２０】
請求項３記載の発明によれば、オプションユニットとの連結に際して該オプションユニットに突設されたガイドピンが画像形成装置側のガイド孔からキャップ内に挿入されると、ガイドピンがキャップ内に挿通されたロッドに係合するため、ロッドが一端を中心として回動し、該ロッドの他端に連結されたワイヤーがコネクタカバーを付勢手段の付勢力に抗してスライドさせてコネクタの接続面を開くことができ、画像形成装置のオプションユニットとの連結動作に連動してコネクタの接続面を開放して画像形成装置とオプションユニットとの電気的な接続を行うことができる。
【００２１】
請求項４記載の発明によれば、オプションユニットとの連結動作を簡単なカム機構によってコネクタカバーの開き動作に変換してコネクタの接続面を開くことができる。
【００２２】
請求項５記載の発明によれば、オプションユニットとの連結動作を簡単なレバー機構によってコネクタカバーの開き動作に変換してコネクタの接続面を開くことができる。
【００２３】
請求項６記載の発明によれば、オプションユニットであるペーパーフィーダと画像形成装置との連結動作に連動してコネクタの接続面を開放して画像形成装置とペーパーフィーダとの電気的な接続を行うことができる。
【図面の簡単な説明】
【００２４】
【図１】本発明に係る画像形成装置のオプションユニットへの連結動作を示す側面図である。
【図２】本発明に係る画像形成装置をオプションユニットに連結した状態を示す側面図である。
【図３】本発明の実施の形態１に係るカバー開閉機構の構成を示す画像形成装置内部の部分斜視図である。
【図４】本発明の実施の形態１におけるコネクタカバーの閉じ状態を示す部分斜視図（画像形成装置の下面側から見た部分斜視図）である。
【図５】本発明の実施の形態１に係るコネクタカバーの開き状態を示す部分斜視図（画像形成装置の下面側から見た部分斜視図）である。
【図６】（ａ）〜（ｃ）は本発明に実施に形態２に係るカバー開閉機構の構成と作用を示す部分側面図である。
【図７】（ａ）は本発明の実施の形態３に係るカバー開閉機構の閉じ状態を示す部分平面図、（ｂ）は同部分側断面図である。
【図８】（ａ）は本発明の実施の形態３に係るカバー開閉機構の開き状態を示す部分平面図、（ｂ）は同部分側断面図である。
【発明を実施するための形態】
【００２５】
以下に本発明の実施の形態を添付図面に基づいて説明する。
【００２６】
図１は本発明に係る画像形成装置のオプションユニットへの連結動作を示す側面図、図２はオプションユニットに画像形成装置を連結した状態を示す側面図である。
【００２７】
本実施の形態では、画像形成装置１にオプションユニットとしてペーパーフィーダ（ＰＦ）１０を増設する場合について説明する。
【００２８】
上記ペーパーフィーダ１０は床面上に水平に設置されており、図１に示すように、このペーパーフィーダ１０上に画像形成装置１を重ねて載置することによって、図２に示すように、画像形成装置１とペーパーフィーダ１０とが連結され、画像形成装置１の下部にペーパーフィーダ１０が増設される。尚、ペーパーフィーダ１０の上面にはガイドピン１１が立設されており、画像形成装置１をペーパーフィーダ１０上に載置して両者を連結する際にガイドピン１１が画像形成装置１の底面に形成された嵌合孔に嵌合することによって、画像形成装置１がペーパーフィーダ１０に対して正確に位置決めされる。
【００２９】
而して、本発明に係る画像形成装置１には、該画像形成装置１のペーパーフィーダ１０への連結動作に連動して画像形成装置１側のコネクタの接合面を開閉するコネクタカバーを動作させてコネクタの接合面を開くためのカバー開閉機構が設けられているが、そのカバー開閉機構の実施形態を以下に説明する。
【００３０】
＜実施の形態１＞
図３はカバー開閉機構の構成を示す画像形成装置内部の部分斜視図、図４及び図５はカバー開閉機構によるコネクタカバーの開閉を示す部分斜視図（画像形成装置の下面側から見た部分斜視図）であり、図４はコネクタカバーによってコネクタの接合面を閉じた状態を示し、図５はコネクタカバーによってコネクタの接合面を開いた状態を示す。
【００３１】
図３に示すように、画像形成装置１の本体内部の底部には、図１及び図２に示すペーパーフィーダ１０との電気的な接続を行うためのコネクタ２が設置されており、このコネクタ２は、図５に示すように、その接合面が画像形成装置１の本体底面に形成された矩形凹部１ａに開口している。そして、このコネクタ２の接合面は、画像形成装置１の本体底部に沿ってスライドするＬ字状のコネクタカバー３によって開閉されるが、このコネクタカバー３は、カバー開閉機構によって画像形成装置１のペーパーフィーダ１０への連結動作に連動して開かれる。
【００３２】
又、図４及び図５に示すように、画像形成装置１の本体底面の前記コネクタ２の接合面が開口する部分の近傍には、ペーパーフィーダ１０の上面に立設されたガイドピン１１が挿通するための円孔状の嵌合孔４が形成されており、図３に示すように、画像形成装置１内の本体底部には嵌合孔４を囲むようにキャップ５が立設されている。
【００３３】
上記キャップ５の周壁の相対向する箇所には上下方向に長い長孔５ａが形成されており、これらの長孔５ａにはロッド６が通されており、画像形成装置１のペーパーフィーダ１０への連結動作時には、ロッド６のキャップ５に挿通する部分にはペーパーフィーダ１０側に設けられたガイドピン１１の上端が係合する。そして、ロッド６の一端６ａは画像形成装置１内の本体底部に回動可能に連結されており、他端６ｂは画像形成装置１内の本体側部に向かって延びている。
【００３４】
又、図３に示すように、前記コネクタカバー３にはワイヤー７の一端が連結されており、ワイヤー７はコネクタカバー３に回転可能に軸支されたプーリ８に巻かれて上方に向かって延び、その端部は前記ロッド６の端部６ｂに連結されている。尚、コネクタカバー３は、不図示のリターンスプリングによって常時閉じ側に付勢されており、画像形成装置１をペーパーフィーダ１０に連結しないで、コネクタ２を使用していない状態では、コネクタカバー３は図３に鎖線にて示す位置にあって、図４に示すようにコネクタ２の接合面を閉じて保護し、該コネクタ２の接合面への埃の侵入を防いでいる。
【００３５】
以上説明したキャップ５、ロッド６、ワイヤー７、プーリ８及び不図示のリターンスプリングによってカバー開閉機構が構成されているが、画像形成装置１にペーパーフィーダ１０を増設するに際して画像形成装置１を図２に示すようにペーパーフィーダ１０上に重ねて連結する場合、ペーパーフィーダ１０側のガイドピン１１が画像形成装置１側の嵌合孔４に下方から挿通し、その先端がキャップ５内に侵入すると、ロッド６のキャップ５を貫通する部分がガイドピン１１の先端によって上方に持ち上げられる。すると、ロッド６は一端６ａを中心として上方へ押し上げられ、その他端６ｂに連結されたワイヤー７を上方へと引っ張るため、図３の鎖線位置にあってコネクタ２の接合面を閉じていたコネクタカバー３（図４参照）が図３の矢印方向に図示実線位置までスライドし、図５に示すようにコネクタ２の接合面を開く。このように、コネクタ２の接合面が開くと、このコネクタ２を用いて画像形成装置１とペーパーフィーダ１０とを結線して両者を電気的に接続することができる。
【００３６】
以上のように、本実施の形態では、画像形成装置１をペーパーフィーダ１０に連結していないで、該画像形成装置１に形成されたコネクタ２を使用していない状態では、図４に示すように、該コネクタ２の接続面はコネクタカバー３によって閉じられているため、コネクタ２に埃が溜ってトラッキング現象が発生する等の不具合が発生することがない。
【００３７】
そして、画像形成装置１をペーパーフィーダ１０への連結動作に連動してカバー開閉機構がコネクタカバー３をスライドさせて図５に示すようにコネクタ２の接続面を開くようにしたため、コネクタ２を用いて画像形成装置１とペーパーフィーダ１０とを電気的に容易に接続することができる。又、ペーパーフィーダ１０側に設けられたガイドピン１１と画像形成装置１側に設けられたコネクタ２との接触が防がれ、コネクタ２の損傷とそれに伴う異常発熱等の発生が防がれる。
【００３８】
＜実施の形態２＞
次に、カバー開閉機構の別形態を図６（ａ）〜（ｃ）に基づいて説明する。
【００３９】
図６（ａ）〜（ｃ）は別形態に係るカバー開閉機構の構成と作用を示す部分側面図であり、カバー開閉機構は、コネクタカバー３に形成された斜面状のカム面３ａと、ペーパーフィーダ１０側に突設された係合ピン１２と、コネクタカバー３を閉じ側（図６の右方）に常時付勢するリターンスプリング９を含んで構成されており、コネクタカバー３に形成されたカム面３ａとこれに係合する係合ピン１２はカム機構を構成している。
【００４０】
而して、画像形成装置１にオプションユニットとしてペーパーフィーダ１０を増設する際には、画像形成装置１がペーパーフィーダ１０上に重ねて載置されるが、画像形成装置１をペーパーフィーダ１０に載置する前であって、図６（ａ）に示すようにペーパーフィーダ１０側の係合ピン１２が画像形成装置１側のコネクタカバー３に形成されたカム面３ａに係合していない状態では、コネクタカバー３はリターンスプリング９によって閉じ側に付勢されて図示位置にあり、画像形成装置１の底面に開口する不図示のコネクタの接合面を閉じている。
【００４１】
上記状態から画像形成装置１が下げられると、図６（ｂ）に示すようにコネクタカバー３のカム面３ａにペーパーフィーダ１０側の係合ピン１２が係合するため、コネクタカバー３はカム作用によって図示矢印方向にスライドしてコネクタの接合面を徐々に開く。そして、画像形成装置１がペーパーフィーダ１０上に完全に載置されて両者が連結されると、図６（ｃ）に示すようにコネクタカバー３が矢印方向にスライドしてコネクタの接合面を完全に開く。
【００４２】
以上のように、本実施の形態においても、画像形成装置１をペーパーフィーダ１０への連結動作に連動してカバー開閉機構がコネクタカバー３をスライドさせてコネクタの接続面を開くようにしたため、前記実施の形態と同様の効果が得られる。特に、本実施の形態では、画像形成装１置のペーパーフィーダ１０への連結動作を簡単なカム機構によってコネクタカバー３の開き動作に変換してコネクタの接続面を開くことができる。
【００４３】
＜実施の形態３＞
次に、カバー開閉機構の別形態を図７及び図８に基づいて説明する。
【００４４】
図７（ａ）は別形態に係るカバー開閉機構の閉じ状態を示す図であって、（ａ）は部分平面図、（ｂ）は部分側断面図、図８は同カバー開閉機構の開き状態を示す図であって（ａ）は部分平面図、（ｂ）は部分側断面図である。
【００４５】
本実施の形態においても、床面上に設置されたペーパーフィーダ４０上に画像形成装置２０が重ねて載置され、両者が互いに連結される。
【００４６】
画像形成装置２０にはその底部にコネクタ２１が設けられており、該画像形成装置２０の底板２２のコネクタ２１に対応する箇所には略矩形の開口部２２ａが形成されており、この開口部２２ａを介してペーパーフィーダ４０のコネクタ２１に対する垂直方向からの電気的な接続が可能となっている。
【００４７】
而して、画像形成装置２０の底面２２に形成された上記開口部２２ａは、レバー機構を用いたカバー開閉機構３０によって画像形成装置２０のペーパーフィーダ４０への連結動作に連動して開閉される。
【００４８】
即ち、カバー開閉機構３０は、画像形成装置２０の開口部２２ａを開閉するコネクタカバー３１と、レバー部材３２及びリターンスプリング３３によって構成されている。
【００４９】
上記コネクタカバー３１は、画像形成装置２０の開口部２２ａを塞ぐことができる大きさの矩形プレート状部材であって、一対の係合爪３１ａによって画像形成装置２０の底板２２に図７（ａ）の矢印方向にスライド可能に保持されており、両係合爪３１ａの間の一端部には長孔状の係合孔３１ｂが形成されている。尚、係合孔３１ｂに代えて係合溝としても良い。
【００５０】
前記レバー部材３２は、画像形成装置２０の底板２２上に設置され、その中間部が支軸３４によって回動可能に枢着されている。そして、このレバー部材３２には支軸３４を中心とする回動支点から延びる長アーム３２Ａと短アーム３２Ｂが設けられており、長アーム３２Ａの先端から下方に突出する連結ピン３５は、コネクタカバー３１に形成された前記係合孔３１ｂに係合している。又、レバー部材３２の短アーム３２Ｂに先端にはカム３２Ｃが立設されており、このカムに３２Ｃは、当該レバー部材３２の回動支点（支軸３４）から離れるに従って斜め上方に傾斜するカム面３２ａが形成されている。
【００５１】
前記リターンスプリング３３は、捩りコイルバネで構成されており、その一端は画像形成装置２０の底板２２に形成された不図示の係止孔に係止され、他端はレバー部材３２のカム３２Ｃに係止されている。このリターンスプリング３３によってレバー部材３２は支軸３４を中心として図７（ａ）の反時計方向に付勢されている。
【００５２】
而して、画像形成装置２０をペーパーフィーダ４０に連結しないで、コネクタ２１を使用していない状態では、レバー部材３２の連結ピン３５が係合する係合孔３１ｂを備えるコネクタカバー３１は図７に示す位置にあって、画像毛形成装置２０の開口部２２ａを閉じ、コネクタ２１の接合面への埃の侵入を防いでいる。
【００５３】
ところで、画像形成装置２０をペーパーフィーダ４０上に重ねて載置する際に互いの位置を規制するために、ペーパーフィーダ４０の上面には先端がテーパ形状になった位置決めピン４１が突出して設けられている。又、画像形成装置２０の底板２２には位置決めピン４１が挿入嵌合するための位置決２２ｂが形成されている。
【００５４】
画像形成装置２０にペーパーフィーダ４０を増設するに際して画像形成装置２０をペーパーフィーダ４０上に重ねて連結する場合、ペーパーフィーダ４０側の位置決めピン４１が画像形成装置２０側の位置決め孔２２ｂに下方から挿通し、その先端がレバー部材３２のカム３２Ｃに形成されたカム面３２ａに接触する。そして、画像形成装置２０を更に降ろすと、図８に示すように、レバー部材３２のカム３２Ｃのカム面３２ａが位置決めピン４１に押されてレバー部材３２が支軸３４を中心として図８（ａ）において時計方向に回動する。すると、係合孔３１ｂにレバー部材３２側の連結ピン３５が係合するコネクタカバー３１が図８（ａ）の矢印方向にスライドして画像形成装置２０の開口部２２ａを徐々に開く。そして、画像形成装置２０がペーパーフィーダ４０上に完全に載置されて両者が連結されると、図８に示すように画像形成装置２０の開口部２２ａがコネクタカバー３１によって完全に開かれ、この開口部２２ａを介してペーパーフィーダ４０が画像形成装置２０側のコネクタ２１に電気的に接続される。
【００５５】
以上のように、本実施の形態においても、画像形成装置２０をペーパーフィーダ４０への連結動作に連動してカバー開閉機構３０がコネクタカバー３１をスライドさせて開口部２２ａを開くようにしたため、前記実施の形態と同様の効果が得られる。特に、本実施の形態では、画像形成装置２０のペーパーフィーダ４０への連結動作を簡単なレバー機構によってコネクタカバー３１の開き動作に変換して開口部２２ａを開くことができる。
【００５６】
尚、以上はオプションユニットとしてペーパーフィーダを画像形成装置に増設する形態について説明したが、オプションユニットとしてフィニッシャや自動原稿搬送装置（ＡＤＦ）等の他の任意のユニットを増設可能な画像形成装置に対しても本発明を適用することができることは勿論である。
【符号の説明】
【００５７】
１          画像形成装置
１ａ        画像形成装置の矩形凹部
２          コネクタ
３          コネクタカバー
３ａ        コネクタカバーのカム面
４          画像形成装置の嵌合孔
５          キャップ
５ａ        キャップの長孔
６ａ，６ｂ  ロッドの端部
７          ワイヤー
８          プーリ
９          リターンスプリング
１０        ペーパーフィーダ（オプションユニット）
１１        ガイドピン
１２        係合ピン
２０        画像形成装置
２１        コネクタ
２２        画像形成装置の底板
２２ａ      画像形成装置の開口部
２２ｂ      画像形成装置の位置決め孔
３０        カバー開閉機構
３１        コネクタカバー
３１ａ      コネクタカバーの係合爪
３１ｂ      コネクタカバーの係合孔
３２        レバー部材
３２Ａ      レバー部材の長アーム
３２Ｂ      レバー部材の短アーム
３２Ｃ      レバー部材のカム
３２ａ      カムのカム面
３３        リターンスプリング
３４        支軸
３５        連結ピン
４０        ベーパーフィーダ（オプションユニット）
４１        ペーパーフィーダの位置決めピン
【図１】
2010237666.tif 000003
【図２】
2010237666.tif 000004
【図３】
2010237666.tif 000005
【図４】
2010237666.tif 000006
【図５】
2010237666.tif 000007
【図６】
2010237666.tif 000008
【図７】
2010237666.tif 000009
【図８】
2010237666.tif 000010